(57)【要約】【課題】ファイルリング用具の開口部を大きくし、資料の挿入及び取り出しが容易なファイリング用具を提供する。【解決手段】ファイリング用具の開閉部を広げる手段として、Ｌ字型の閉部を短く設置し、開閉時における可動範囲を広げる。この手段として、折りたたみ部天部の面取りを行い、折りたたみ部の閉部を短くし、さらに、固着部を短く設置し、切欠部を該固着部横の開放辺寄りに設置し、該切欠部を最も遠方の閉部端方向に傾斜させることにより、開閉時の応力による破れ破損防止だけでなく開閉部を広げる手段として活用した。【選択図】図１
2011240694.tif 000002
【特許請求の範囲】
【請求項１】
Ｌ字上の閉部辺に設置する切り欠き部であって、
該切欠部を該切欠部に対向する遠方の閉部の閉部端方向に傾斜させて設置した、
ことを特徴とするファイリング用具。
【請求項２】
切欠部に対向する遠方の閉部の閉部端を面取りした請求項１のファイリング用具を製造するファイリング用具。
【請求項３】
ファイリング用具の製造装置において、請求項１及び請求項２のファイリング用具を製造するファイリング用具の製造装置。
【請求項４】
ファイリング用具の製造工程において、請求項１及び請求項２の製造装置を用いて製造する工程を有するファイリングの製造方法。
【発明の詳細な説明】
【技術分野】
【０００１】  ファイリング用具に関する。
【背景技術】
【０００２】  従来のファイルは、基板となるシートを折りたたんで表表紙側シートと裏表紙側シートを作り、その折りたたみ部によって一方の閉部を作り、他方の閉部は表表紙側シートと裏表紙側シートを端縁において固着して閉部を作り、該表表紙側シートと該裏表紙側シート及びＬ字型の折りたたみ部及び固着部によってホルダー部を形成している。
また、表表紙側シートと裏表紙側シートの作動による応力を逃がし、固着部端の剥がれや破れ等の破損を防ぐため固着部端に近い開放辺上に切欠部を設置している。（例えば、特許文献１参照）【０００３】  一方、ファイルの左右ポケットを大きく開口させることができ、収納物の出し入れが容易にできるホルダが提案されている。（例えば、特許文献２参照）
また、同様のファイルにおいて、左右ポケット部の両固着部端に切欠部を設置した書類収納用ファイルも提案されている。（例えば、特許文献３参照）
【先行技術文献】
【特許文献】
【０００４】
【特許文献１】  実用新案登録第３１２９２３５号  公報
【特許文献２】  特開２００１−６３２６４号  公報
【特許文献３】  実開昭５９−１６４７７２号  公報
【発明の概要】
【発明が解決しようとする課題】
【０００５】  しかしながら、従来のファイルには、次のような問題点があった。
従来のファイルの構造は、基板となるシートを折りたたんで表表紙側シートと裏表紙側シートを作り、その折りたたみ部によって一方の閉部を作り、該表表紙側シートと該裏表紙側シート及びＬ字型の折りたたみ部及び固着部によってホルダー部を形成している。そして、Ｌ字型の閉部がファイルの二辺全体にわたって設定され、表表紙側シートと裏表紙側シートの作動による応力を逃すための切欠部を固着部に直交する開放辺上に設置している。（例えば、特許文献１参照）
この種の構造のファイルは、資料を挿入したり取り出したりする場合に、開放辺をファイルの表面積の２分の１以下の範囲内でしか開閉できない。
一方、従来のファイルには、表紙側シートと裏表紙側シートの作動による応力を逃すための切欠部を該切欠部設置辺にほぼ直角に設置している（例えば、特許文献２及び特許文献３参照）。
しかしながら、これら直角に設置した切欠部は、表表紙側シートの作動による応力を逃すための役割しか果せない。
なお、切欠部に固着部が接続していたり、切欠部と固着部が接近しすぎていると、表表紙の開閉作動による応力が固着部端にじかに伝わり易く、該切欠部が表表紙側シートの作動による応力を逃すための役割が半減してしまう。
一方、折りたたみ部端の開放辺に設置した小さな切欠部は、表表紙側シートの開閉作動による応力が、その切欠部によって折りたたみ部端にストレートに伝わり、折りたたみ端の磨耗や破損を早めてしまう。
【課題を解決するための手段】
【００６】  本発明は、ファイリング用具の開閉部を広げる手段として、Ｌ字型の閉部を短く設置し、開閉時における可動範囲を広げることとした。
この手段として、固着部を短く設置し、切欠部を該固着部横の開放辺寄りに設置し、該切欠部を最も遠方の閉部端方向に傾斜させることにより、開閉時の応力による破れ破損防止だけでなく開閉部を広げる手段として活用した。また、切欠部と固着部を同一辺上において少し離してあそび部分を作ることにより、開閉時の応力が固着部に直接及ぶことを避け、緩和されるようにした。
同時に、折りたたみ部天部の面取りを行い、折りたたみ部の閉部を短くして開閉部を広げることとした。この面取りにより、表表紙側シートの開閉作動による応力が折りたたみ部端になだらかに加わるようになるため、折りたたみ部側の損耗や破損等を防ぐ手段とても活用することとした。
なぜ、折りたたみ部端の開放辺に設置した切欠部に開閉作動による応力がより伝わりやすいかと言えば、同一厚さのシートを扇状に開閉させてたわませる場合、切欠によって半径が短くなった部分にストレスがたまりやすくなるためである。またなぜ面取りが、折りたたみ部側の損耗や破損等を防ぐことになるかといえば、面取りはシート辺上に極端に短い部分を作らないため、扇状に開閉させてたわませる場合のたわみによる応力は面取りした円弧上に沿ってなだらかに伝わるためである。【００７】  なお、請求項１において「Ｌ字上の閉部辺に設置する切り欠き部」とは、切欠部が閉部と同一辺上にあることをいう。
また、請求項３において製造装置とは、当該請求項の製品を製造するに際して使用する機械、設備及び当該機械・設備の制御装置を含むものとする。なおこの場合、当該請求項記載の構成要素を満たす製造装置は、ファイリング用具を製造する他の装置に分かれて設置されている場合には、当該構成要素を満たす装置の当該部分を指すものとする。
また、請求項４において製造方法とは、当該請求項記載の製造装置を用いて製品を製造する工程をいう。
【発明の効果】
【００８】  ファイルリング用具の開口部を大きくし、資料の挿入及び取り出しが容易なファイリング用具を提供できる点、及び開閉作動による磨耗や破損等を減少させることができるファイリング用具を提供できる点が従来のファイルに比べて有利な点である。
【図面の簡単な説明】
【００９】
【図１】Ｌ字型ファイルに遠方の閉部端に傾斜した切欠部を設置し、該遠方の閉部端を面取りしたファイルの実施方法の１例を示した正面図である。（実施例１）
【図２】固着部を設置する前の実施例１の展開図である。
【図３】Ｌ字型ファイルの開放辺に長方形の舌片を連接し、遠方の閉部端に傾斜した切欠部を設置し、該遠方の閉部端を面取りした実施方法の１例を示した正面図である。（実施例２）
【図４】固着部を設置する前の実施例２の展開図である。
【図５】観音開型のファイルの実施方法の１例を示した正面図である。（実施例３）
【図６】固着部を設置する前の実施例３の展開図である。
【図７】Ｌ字型ファイルの開放辺に円弧状の舌片を連接し、表表紙横幅を裏表紙横幅より短く設定し、遠方の閉部端に傾斜した切欠部を設置し、該遠方の閉部端を面取りしたファイルの実施方法の１例を示した正面図である。（実施例４）
【図８】実施例４の使用方法の１例を示した使用図である。
【図９】従来のファイルの１例を示した正面図である。
【発明を実施するための形態】
【００１０】  ４つの実施例は、いずれもＬ字型の閉部を短く設置し、固着部端でかつ固着部辺と同一辺上に切り欠き部を設置し、該切欠部を対応する閉部端であってかつ遠方の閉部端方向に傾斜させて設置しており、該技術から見ていずれも同一の実施形態である。
【構造等】
【００１１】  最初に、これらの構造等について、実施例１に基づいて説明する。
実施例１の閉部は、図１の３（図２の３）、及び図１の４である。開放辺は、図１の６（図２の６−１と図２の６−２）、及び図１の７（図２の７−１と図２の７−２）である。
折りたたみ部（図１の３、図２−３）は、天部を面取り（図１の２、図２の２）している。閉部辺（図１の５、図２の５−１、図２の５−２）には、固着部（図１の４）と切欠部（図１の１、図２の１）を設置している。切欠部（図１の１、図２の１）は、遠方の閉部端（図１の２の面取部下端、図２の２面取部下端）方向に傾斜して設置している。
これは、実施例２〜実施例４においても同様である。
なお、折りたたみ部の面取り部面に切欠部を設置すること、及び折りたたみ部の面取りを行わず折りたたみ部端に直接傾斜切欠部を設置することも本発明の範囲とする。
また、ファイルリング用具のポケット部のＬ字閉部辺に傾斜切欠部を設置すること、及び幾つか連接したファイルリング用具のＬ字閉部辺に傾斜切欠部を設置することも、本発明の範囲とする。
また、ファイルやノート等に付加又は一体に作成された資料差込用フォルダーであって、請求項１に係るファイル及びホルダー部を有するものも本発明の範囲とする。
【作動及び使用等】
【００１２】  以上の作動及び使用等について説明する。
表表紙側シートと裏表紙側シートを広げると、切欠部中央部先端（図１の凸部先端）と面取部下端（図１の２の面取部下端）を結ぶ対角線に沿って広げることができる。
この場合、表表紙側シートと裏表紙側シートを強く引っ張らず自然に広げ、かつ広げた表表紙側シートと裏表紙側シートのシート面との間において作る角度が鋭角の場合、開く力とそれに抵抗する力が折りたたみ部天部に設置した面取り部の面取り辺及び固着部横に設置した切欠部の切欠辺にかかる。
そして、該切欠部から該固着部端までは可動範囲に入るが、該切欠部は、略逆さＶ字形または略逆さＵ字形をしているため、開閉時の応力は切欠部の最も深いところにかかることになる。
このため固着部端に開閉時の力がスレートに及ぶことを防ぐことができると同時に、資料を挟み込みやすいように開閉部を広げることができる。
また、面取り面の大きさにより、開閉部が広がったり狭くなったりする。
開閉時のたわみ線は、折りたたみ部の面取り部端の閉部と切欠部中央部を結ぶ線が最も中心となる。
一般的に、Ｌ字型のファイルにおいては、Ｌ字形の直交部である閉部角からみて、それぞれの閉部端がＬ字上にある場合、閉部端が直交角部に近づくほど開口部は大きくなり、遠ざかるほど開口部は狭くなる。
しかし、極端に前者にはしると、固着部及び折りたたみ部が短くなり、資料が脱落しやすくなる。
このため、固着部の位置及び長さ、折りたたみ部の面取り部分の位置及び大きさは、開閉部を広げる目的とフォルダー部の脱落防止の目的の双方の目的が両立できる範囲で決めなければならない。
これは、実施例２〜実施例４においても同様である。
本発明の最良の実施形態は、実施例１である。
【製造装置】
【００１３】  請求項１のファイリング用具を製造するファイリング用具の製造装置とは、Ｌ字上の閉部辺に設置する切欠部であって、該切欠部を該切欠部に対向する遠方の閉部の閉部端方向に傾斜させて設置することを特徴とする製造装置をいう。
請求項２のファイリング用具を製造するファイリング用具の製造装置とは、請求項１の製造装置に加えて、切欠部に対向する遠方の閉部の閉部端を面取りするファイリング用具の製造装置をいう。
【製造方法】
【００１４】  請求項１のファイリング用具を製造する製造装置を用いた製造方法とは、Ｌ字上の閉部辺に設置する切欠部であって、該切欠部を該切欠部に対向する遠方の閉部の閉部端方向に傾斜させて設置するステップを有することを特徴とする製造方法をいう。
請求項２のファイリング用具を製造する製造装置を用いた製造方法とは、請求項１のファイリング用具を製造するステップと、切欠部に対向する遠方の閉部の閉部端を面取りするステップを有する製造方法をいう。
【符号の説明】
【００１５】  １    切欠部
２    面取部
３    折りたたみ部
４    固着部
５    固着部辺
５−１及び５−２    固着部辺
６及び７    開放辺
６−１及び６−２    開放辺
７−１及び７−２    開放辺
【図１】
2011240694.tif 000003
【図２】
2011240694.tif 000004
【図３】
2011240694.tif 000005
【図４】
2011240694.tif 000006
【図５】
2011240694.tif 000007
【図６】
2011240694.tif 000008
【図７】
2011240694.tif 000009
【図８】
2011240694.tif 000010
【図９】
2011240694.tif 000011
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
ファイリング用具のホルダー部を形成する折りたたみ部と固着部がＬ字状の閉部を形成するか又は一方のシートと他方のシートの２つの固着部がＬ字状の閉部を形成するファイリング用具であって、
該固着部辺上に設置される切欠部であって、かつ該切欠部が該固着部横の開放辺寄りに設置されかつ対向する遠方の閉部の閉部端方向に傾斜して設置された、
ことを特徴とするファイリング用具。
【請求項２】
前記切欠部に対向する遠方の閉部の閉部端が面取りされた請求項１のファイリング用具。
【手続補正３】
【補正対象書類名】明細書
【補正対象項目名】０００４
【補正方法】変更
【補正の内容】
【０００４】
【特許文献１】  実用新案登録第３１２９１３５号  公報
【特許文献２】  特開２００１−６３２６４号  公報
【特許文献３】  実開昭５９−１６４７７２号  公報
【手続補正４】
【補正対象書類名】明細書
【補正対象項目名】００６
【補正方法】変更
【補正の内容】
【０００６】  本発明は、ファイリング用具の開閉部を広げる手段として、Ｌ字型の閉部を短く設置し、開閉時における可動範囲を広げることとした。
この手段として、固着部を短く設置し、切欠部を該固着部横の開放辺寄りに設置し、該切欠部を最も遠方の閉部端方向に傾斜させることにより、開閉時の応力による破れ破損防止だけでなく開閉部を広げる手段として活用した。また、切欠部と固着部を同一辺上において少し離してあそび部分を作ることにより、開閉時の応力が固着部に直接及ぶことを避け、緩和されるようにした。
同時に、折りたたみ部天部の面取りを行い、折りたたみ部の閉部を短くして開閉部を広げることとした。この面取りにより、表表紙側シートの開閉作動による応力が折りたたみ部端になだらかに加わるようになるため、折りたたみ部側の損耗や破損等を防ぐ手段とても活用することとした。
なぜ、折りたたみ部端の開放辺に設置した切欠部に開閉作動による応力がより伝わりやすいかと言えば、同一厚さのシートを扇状に開閉させてたわませる場合、切欠によって半径が短くなった部分にストレスがたまりやすくなるためである。またなぜ面取りが、折りたたみ部側の損耗や破損等を防ぐことになるかといえば、面取りはシート辺上に極端に短い部分を作らないため、扇状に開閉させてたわませる場合のたわみによる応力は面取りした円弧上に沿ってなだらかに伝わるためである。
【手続補正５】
【補正対象書類名】明細書
【補正対象項目名】００７
【補正方法】変更
【補正の内容】
【０００７】  なお、請求項１において「該固着部辺上に設置される切欠部」とは、切欠部が固着部と同一辺上にあることをいう。
【手続補正６】
【補正対象書類名】明細書
【補正対象項目名】００８
【補正方法】変更
【補正の内容】
【０００８】
ファイルリング用具の開口部を大きくし、資料の挿入及び取り出しが容易なファイリング用具を提供できる点、及び開閉作動による磨耗や破損等を減少させることができるファイリング用具を提供できる点が従来のファイルに比べて有利な点である。
【図面の簡単な説明】
【手続補正７】
【補正対象書類名】明細書
【補正対象項目名】００９
【補正方法】変更
【補正の内容】
【０００９】
【図１】Ｌ字型ファイルに遠方の閉部端に傾斜した切欠部を設置し、該遠方の閉部端を面取りしたファイルの実施方法の１例を示した正面図である。（実施例１）
【図２】固着部を設置する前の実施例１の展開図である。
【図３】Ｌ字型ファイルの開放辺に長方形の舌片を連接し、遠方の閉部端に傾斜した切欠部を設置し、該遠方の閉部端を面取りした実施方法の１例を示した正面図である。（実施例２）
【図４】固着部を設置する前の実施例２の展開図である。
【図５】観音開型のファイルの実施方法の１例を示した正面図である。（実施例３）
【図６】固着部を設置する前の実施例３の展開図である。
【図７】Ｌ字型ファイルの開放辺に円弧状の舌片を連接し、表表紙横幅を裏表紙横幅より短く設定し、遠方の閉部端に傾斜した切欠部を設置し、該遠方の閉部端を面取りしたファイルの実施方法の１例を示した正面図である。（実施例４）
【図８】実施例４の使用方法の１例を示した使用図である。
【図９】従来のファイルの１例を示した正面図である。
【発明を実施するための形態】
【手続補正８】
【補正対象書類名】明細書
【補正対象項目名】００１２
【補正方法】変更
【補正の内容】
【００１２】
以上の作動及び使用等について説明する。
表表紙側シートと裏表紙側シートを広げると、切欠部中央部先端（図１の凸部先端）と面取部下端（図１の２の面取部下端）を結ぶ対角線に沿って広げることができる。
この場合、表表紙側シートと裏表紙側シートを強く引っ張らず自然に広げ、かつ広げた表表紙側シートと裏表紙側シートのシート面との間において作る角度が鋭角の場合、開く力とそれに抵抗する力が折りたたみ部天部に設置した面取り部の面取り辺及び固着部横に設置した切欠部の切欠辺にかかる。
そして、該切欠部から該固着部端までは可動範囲に入るが、該切欠部は、略逆さＶ字形または略逆さＵ字形をしているため、開閉時の応力は切欠部の最も深いところにかかることになる。
このため固着部端に開閉時の力がスレートに及ぶことを防ぐことができると同時に、資料を挟み込みやすいように開閉部を広げることができる。
また、面取り面の大きさにより、開閉部が広がったり狭くなったりする。
開閉時のたわみ線は、折りたたみ部の面取り部端の閉部と切欠部中央部を結ぶ線が最も中心となる。
一般的に、Ｌ字型のファイルにおいては、Ｌ字形の直交部である閉部角からみて、それぞれの閉部端がＬ字上にある場合、閉部端が直交角部に近づくほど開口部は大きくなり、遠ざかるほど開口部は狭くなる。
しかし、極端に前者にはしると、固着部及び折りたたみ部が短くなり、資料が脱落しやすくなる。
このため、固着部の位置及び長さ、折りたたみ部の面取り部分の位置及び大きさは、開閉部を広げる目的とフォルダー部の脱落防止の目的の双方の目的が両立できる範囲で決めなければならない。
これは、実施例２〜実施例４においても同様である。
本発明の最良の実施形態は、実施例１である。
【符号の説明】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】１    切欠部
２    面取部
３    折りたたみ部
４    固着部
５    固着部辺
５−１及び５−２  固着部辺
６及び７    開放辺
６−１及び６−２    開放辺
７−１及び７−２    開放辺